(57)【要約】【課題】  光ディスクドライブを１台しか内蔵していなくても、光ディスクを入れ替えることなく複数のコンテンツデータを続けて再生することができるコンテンツ記録再生装置を提供する。【解決手段】  複数の光ディスクに格納されている暗号化されたコンテンツデータを複写してハードディスクドライブ１８に記録させるコンテンツデータ複写部１３３と、複数装着されたメモリチップに格納された、それぞれのコンテンツデータに対応する復号キーを読み出す複数のメモリチップスロット１２と、ハードディスクドライブ１８に記録された中から選択された複数のコンテンツデータを再生する指示を外部から取得したときに、対応する復号キーをメモリチップから順次取得して暗号化されたコンテンツデータを順次復号するコンテンツデータ復号部１３８と、復号された複数のコンテンツデータを連続して送出するコンテンツデータ送出部１３９とを備える。【選択図】  図１
2008077791.tif 000002
【特許請求の範囲】
【請求項１】
複数の光ディスクに格納されている暗号化コンテンツデータを、本装置内の大容量記録媒体にそれぞれ記録するとともに、この大容量記録媒体に記録された複数の暗号化コンテンツデータから所定数の暗号化コンテンツデータを選択し、この選択した所定数の暗号化コンテンツデータを順次復号し、再生するコンテンツ記録再生装置において、
前記複数の光ディスクに格納されている前記暗号化コンテンツデータをそれぞれ読み出す光ディスクドライブと、
複数の前記暗号化コンテンツデータ毎にそれぞれ対応し、この対応している暗号化コンテンツデータを復号するための復号キーと、前記対応している暗号化コンテンツデータを特定するためのコンテンツ識別情報とが格納されているメモリチップが複数装着され、この装着された複数のメモリチップから前記復号キーと前記コンテンツ識別情報とをそれぞれ読み出すメモリデータ読み出し部と、
前記光ディスクドライブによって読み出した前記暗号化コンテンツデータが、前記メモリデータ読み出し部から読み出した複数の前記コンテンツ識別情報のうちいずれかによって特定されたときは、その特定された暗号化コンテンツデータを前記大容量記録媒体へ記録するコンテンツデータ記録部と、
前記大容量記録媒体に記録された複数の前記暗号化コンテンツデータの中から、２つ以上の暗号化コンテンツデータを選択し、所定順序で再生する指示を外部から受けたときに、この再生を指示された２つ以上の暗号化コンテンツデータそれぞれが、前記メモリデータ読み出し部から読み出した複数の前記コンテンツ識別情報のうちいずれかによって識別されたときは、このコンテンツ識別情報に対応する復号キーをそれぞれ取得する復号キー取得部と、
前記再生を指示された２つ以上の暗号化コンテンツデータを、前記大容量記録媒体から順次読み出す記録コンテンツデータ取得部と、
前記復号キー取得部で読み出したそれぞれの復号キーを用いて、前記記録コンテンツデータ取得部で順次読み出した２つ以上の暗号化コンテンツデータを順次復号するコンテンツデータ復号部と、
を備えることを特徴とするコンテンツ記録再生装置。
【発明の詳細な説明】
【技術分野】
【０００１】
本発明は、光ディスクに記録されたコンテンツを再生するコンテンツ記録再生装置に関する。
【背景技術】
【０００２】
従来、映像や音声などのコンテンツデータを記録する媒体として、ＤＶＤ−ＲＯＭなどの光ディスクが広く利用されている。
【０００３】
このＤＶＤ−ＲＯＭに代表される読出し専用の光ディスクは可換媒体であり、格納されているコンテンツデータをコンテンツ記録再生装置内のハードディスクドライブ等の記録媒体に複写することが可能である。
【０００４】
そのため、多くの光ディスクでは不正に複写されることを防ぐために、格納されているデータの複写を制限する技術が用いられている。
【０００５】
特許文献１には、電子透かしを利用してビデオ信号を１回限りコピーを許可する装置に関する技術が記載されている。
【０００６】
このように複写を制限する技術を付加することにより、不正な複写が繰り返し行われることを防ぐことができる。
【特許文献１】特開２００５−３５４６８１号公報
【発明の開示】
【発明が解決しようとする課題】
【０００７】
しかし、複写が制限され自由にハードディスクドライブへのコンテンツデータの複写ができなくなると、光ディスクドライブを１台しか内蔵していないコンテンツ記録再生装置で複数の光ディスクのコンテンツを再生するには途中で光ディスクを入れ替えなければならず、続けて再生することができないという問題があった。
【０００８】
本発明は、上記事情に鑑みてなされたものであり、光ディスクドライブを１台しか内蔵していなくても、光ディスクを入れ替えることなく複数の光ディスクに格納されたコンテンツデータを続けて再生することができるコンテンツ記録再生装置を提供することである。
【課題を解決するための手段】
【０００９】
上記目的を達成するための本発明のコンテンツ記録再生装置（１０）は、複数の光ディスクに格納されている暗号化コンテンツデータを、本装置内の大容量記録媒体にそれぞれ記録するとともに、この大容量記録媒体に記録された複数の暗号化コンテンツデータから所定数の暗号化コンテンツデータを選択し、この選択した所定数の暗号化コンテンツデータを順次復号し、再生するものであり、前記複数の光ディスクに格納されている前記暗号化コンテンツデータをそれぞれ読み出す光ディスクドライブ（１１）と、複数の前記暗号化コンテンツデータ毎にそれぞれ対応し、この対応している暗号化コンテンツデータを復号するための復号キーと、前記対応している暗号化コンテンツデータを特定するためのコンテンツ識別情報とが格納されているメモリチップが複数装着され、この装着された複数のメモリチップから前記復号キーと前記コンテンツ識別情報とをそれぞれ読み出すメモリデータ読み出し部（１２）と、前記光ディスクドライブ（１１）によって読み出した前記暗号化コンテンツデータが、前記メモリデータ読み出し部（１２）から読み出した複数の前記コンテンツ識別情報のうちいずれかによって特定されたときは、その特定された暗号化コンテンツデータを前記大容量記録媒体（１８）へ記録するコンテンツデータ記録部（１３３）と、前記大容量記録媒体（１８）に記録された複数の前記暗号化コンテンツデータの中から、２つ以上の暗号化コンテンツデータを選択し、所定順序で再生する指示を外部から受けたときに、この再生を指示された２つ以上の暗号化コンテンツデータそれぞれが、前記メモリデータ読み出し部（１２）から読み出した複数の前記コンテンツ識別情報のうちいずれかによって識別されたときは、このコンテンツ識別情報に対応する復号キーをそれぞれ取得する復号キー取得部（１３６）と、前記再生を指示された２つ以上の暗号化コンテンツデータを、前記大容量記録媒体（１８）から順次読み出す記録コンテンツデータ取得部（１３７）と、前記復号キー取得部（１３６）で読み出したそれぞれの復号キーを用いて、前記記録コンテンツデータ取得部（１３７）で順次読み出した２つ以上の暗号化コンテンツデータを順次復号するコンテンツデータ復号部（１３８）とを備えることを特徴とする。
【発明の効果】
【００１０】
本発明のコンテンツ記録再生装置によれば、光ディスクドライブを１台しか内蔵していなくても、光ディスクを入れ替えることなく複数の光ディスクに格納されたコンテンツデータを続けて再生することができる。
【発明を実施するための最良の形態】
【００１１】
〈本発明のコンテンツ記録再生装置の再生原理〉
本発明のコンテンツ記録再生装置では、光ディスクに格納されている暗号化されたコンテンツデータを、本装置内の大容量記録媒体であるハードディスクドライブにそれぞれ記録するとともに、このハードディスクドライブに記録された複数の暗号化コンテンツデータから所定数の暗号化コンテンツデータを選択し、この選択した所定数の暗号化コンテンツデータを、この暗号化コンテンツデータに対応するメモリチップに格納された復号キーを利用して順次復号し、再生する。
【００１２】
このメモリチップは、本発明のコンテンツ記録再生装置特有のメモリチップスロットに装着可能な形状であり、復号キーのデータは複写および書き換え不可能な状態で格納されており、また、読み出しには認証を必要とするものである。
【００１３】
光ディスクに格納されている暗号化されたコンテンツデータは複写可能であるが、再生に必要な復号キーを複写不可能にすることで不正に複写され再生されることを防止している。
【００１４】
〈一実施形態によるコンテンツ記録再生装置の構成〉
本発明の一実施形態によるコンテンツ記録再生装置１０は、複数の光ディスクに格納されているコンテンツデータを、ユーザの指示により内蔵するハードディスクドライブ１８に複写および再生するものである。
【００１５】
本実施形態によるコンテンツ記録再生装置１０の構成を、図１を参照して説明する。
【００１６】
本実施形態によるコンテンツ記録再生装置１０は、光ディスクドライブ１１と、メモリデータ読み出し部としてのメモリチップスロット１２と、ＣＰＵ１３と、スーパーインポーズ用バッファ１４と、Ｄ/Ａコンバータ１５と、ユーザ入力部１６と、メインメモリ１７と、ハードディスクドライブ１８と、ＭＰＥＧ２デコーダ１９とを有する。
【００１７】
光ディスクドライブ１１は、光ディスクに格納されている暗号化されたコンテンツデータを読み出す。
【００１８】
メモリチップスロット１２は、複数の暗号化コンテンツデータ毎にそれぞれ対応して設けられ、この対応している暗号化コンテンツデータを復号するための復号キーと、前記対応している暗号化コンテンツデータを特定するためのコンテンツ識別情報とが格納されているメモリチップが複数装着され、この装着された複数のメモリチップから復号キーとコンテンツ識別情報とをそれぞれ読み出す。
【００１９】
ＣＰＵ１３は、複写可否判断部１３１と、複写指示取得部１３２と、コンテンツデータ記録部としてのコンテンツデータ複写部１３３と、コンテンツ識別情報取得部１３４と、複写コンテンツデータ再生指示取得部１３５と、復号キー取得部１３６と、記録コンテンツデータ取得部としての複写コンテンツデータ取得部１３７と、コンテンツデータ復号部１３８と、コンテンツデータ送出部１３９とを有する。
【００２０】
複写可否判断部１３１は、光ディスクドライブ１１に複数の光ディスクの中の１つの光ディスクが挿入され、且つ、この光ディスクに格納されている暗号化されたコンテンツデータを復号するための復号キーが記録されたメモリチップが複数のメモリチップスロット１２の中の１つに挿入されたときに、光ディスクに格納されている暗号化されたコンテンツデータをハードディスクドライブ１８に複写可能であると判断し、この複写可能である情報を表示装置２０に表示させるためにスーパーインポーズ用バッファ１４に送出する。
【００２１】
複写指示取得部１３２は、複写可否判断部１３１で光ディスクドライブ１１に挿入された暗号化されたコンテンツデータがハードディスクドライブ１８に複写可能であると判断されているときに、ユーザ入力部１６からこのコンテンツデータをハードディスクドライブ１８に複写する複写指示を取得したときは、取得した複写指示をコンテンツデータ複写部１３３に送出する。
【００２２】
コンテンツデータ複写部１３３は、光ディスクドライブ１１によって読み出された暗号化コンテンツデータが、メモリチップスロット１２から読み出した複数のコンテンツ識別情報のうちいずれかによって特定されたときは、その特定された暗号化コンテンツデータをハードディスクドライブ１８へ記録することにより複写する。
【００２３】
コンテンツ識別情報取得部１３４は、複写されたコンテンツデータの識別情報を前記メモリチップから読み出して、後述するメモリチップリスト記録部１７２に記録する。
【００２４】
複写コンテンツデータ再生指示取得部１３５は、ユーザ入力部１６からハードディスクドライブ１８に複写されたコンテンツデータを再生する再生指示を取得し、復号キー取得部１３６および複写コンテンツデータ取得部１３７に送出する。
【００２５】
復号キー取得部１３６は、ハードディスクドライブ１８に記録された複数の暗号化コンテンツデータの中から、２つ以上の暗号化コンテンツデータを選択し、所定順序で再生する指示を外部から受けたときに、この再生を指示された２つ以上の暗号化コンテンツデータそれぞれが、メモリチップスロット１２から読み出した複数のコンテンツ識別情報のうちいずれかによって識別されたときは、このコンテンツ識別情報に対応する復号キーをそれぞれ取得する。
【００２６】
複写コンテンツデータ取得部１３７は、再生を指示された２つ以上の暗号化コンテンツデータを、ハードディスクドライブ１８から順次読み出し、後述するハードディスクコンテンツデータ記録部１７４に送出する。
【００２７】
コンテンツデータ復号部１３８は、復号キー取得部１３６で読み出したそれぞれの復号キーを用いて、複写コンテンツデータ取得部１３７で順次読み出した２つ以上の暗号化コンテンツデータを順次復号する。
【００２８】
コンテンツデータ送出部１３９は、コンテンツデータ復号部１３８により復号されたハードディスクコンテンツデータ記録部１７４のコンテンツデータを、再生させるためにＭＰＥＧ２デコーダに送出する。
【００２９】
スーパーインポーズ用バッファ１４は、スーパーインポーズとして表示させるためのデータを格納する。
【００３０】
Ｄ/Ａコンバータ１５は、入力されたデータのデジタル／アナログ変換を行う。
【００３１】
ユーザ入力部１６は、ユーザにより操作され、光ディスクドライブ１１に挿入された光ディスクに格納されているコンテンツデータをハードディスクドライブ１８に複写する複写指示や、ハードディスクドライブ１８に複写されたコンテンツデータを再生する再生指示などを入力する。
【００３２】
メインメモリ１７は、光ディスクコンテンツデータ記録部１７１と、メモリチップリスト記録部１７２と、復号キー記録部１７３と、ハードディスクコンテンツデータ記録部１７４とを有する。
【００３３】
光ディスクコンテンツデータ記録部１７１は、コンテンツデータ複写部１３３で光ディスクから取得された暗号化されたコンテンツデータを一時的に記録し、ハードディスクドライブ１８に複写するために送出する。
【００３４】
メモリチップリスト記録部１７２は、各メモリチップスロット１２に記録されているコンテンツのコンテンツ識別情報を記録する。
【００３５】
復号キー記録部１７３は、復号キー取得部１３６で取得された復号キーを一時的に記録し、コンテンツデータ復号部１３８に送出する。
【００３６】
ハードディスクコンテンツデータ記録部１７４は、複写コンテンツデータ取得部１３７で取得された暗号化されたコンテンツデータを一時的に記録し、復号キーを用いて復号されたときにはコンテンツデータ送出部１３９に送出する。
【００３７】
ハードディスクドライブ１８は、ユーザ入力部１６の指示により複写されたコンテンツデータを記録する。
【００３８】
ＭＰＥＧ２デコーダ１９は、ＭＰＥＧ２の技術を用いて符号化されたデータをデコードする。
【００３９】
〈一実施形態によるコンテンツ記録再生装置１０の動作〉
本実施形態によるコンテンツ記録再生装置１０の動作を、図２〜４を参照して説明する。
【００４０】
図２は、光ディスクに格納されている暗号化されたコンテンツデータを、コンテンツ記録再生装置１０に内蔵されたハードディスクドライブ１８に複写するときの動作を示すフローチャートである。
【００４１】
まず、複写するコンテンツデータが格納された光ディスクが、ユーザにより光ディスクドライブ１１に挿入され、再生可能な状態に設定される（Ｓ１）。
【００４２】
次に、光ディスクドライブ１１に挿入された光ディスクに格納されている暗号化されたコンテンツデータを復号するための復号キーとコンテンツデータを識別するコンテンツ識別情報とが記録されたメモリチップが複数のメモリチップスロット１２の中の１つに挿入されているかがＣＰＵ１３の複写可否判断部１３１で確認され、当該メモリチップが挿入されていれば暗号化されたコンテンツデータがハードディスクドライブ１８に複写が可能であると判断される（Ｓ２）。
【００４３】
暗号化されたコンテンツデータがハードディスクドライブ１８に複写可能であると複写可否判断部１３１で判断されると、ハードディスクドライブ１８に複写可能である旨の情報がスーパーインポーズ用バッファ１４およびＤ/Ａコンバータ１５を経由して外部の表示装置２０に表示される。
【００４４】
表示装置２０に暗号化されたコンテンツデータがハードディスクドライブ１８に複写可能であることが表示されてユーザに確認された後、ユーザ入力部１６からユーザの操作によりコンテンツデータをハードディスクドライブ１８に複写する複写指示が入力されると、この複写指示がＣＰＵ１３の複写指示取得部１３２で取得される（Ｓ３）。
【００４５】
複写指示取得部１３２で複写指示が取得されるとコンテンツデータ複写部１３３に送出され、コンテンツデータ複写部１３３で光ディスクから暗号化されたコンテンツデータが、メモリチップスロット１２のメモリチップの複合キーが利用されて読み出される（Ｓ４）。
【００４６】
読み出された暗号化されたコンテンツデータは、メインメモリ１７の光ディスクコンテンツデータ記録部１７１に一時的に記録される（Ｓ５）。
【００４７】
光ディスクコンテンツデータ記録部１７１に記録されたコンテンツデータは、コンテンツデータ複写部１３３を経由してハードディスクドライブ１８に送出されて書き込まれることにより、複写される（Ｓ６）。
【００４８】
ステップＳ４〜Ｓ６における転送速度は光ディスクとＣＰＵ１３とを接続するＰＣＩバスの転送速度に依存され、例えば４ＭＢである。
【００４９】
コンテンツデータ複写部１３３では、すべてのデータが複写されたか判断され（Ｓ７）、まだ複写すべきデータが残っていれば（Ｓ６の「NO」）ステップＳ４に戻り、コンテンツデータの読み出し、および書き込みの処理を繰り返す。
【００５０】
すべてのデータの複写が終わると（Ｓ６の「YES」）、コンテンツ識別情報取得部１３４においてメモリチップスロット１２に挿入されているメモリチップからコンテンツデータの識別情報が読み出され、メインメモリ１７のメモリチップリスト記録部１７２に記録される（Ｓ７）。
【００５１】
上述したステップＳ１〜ステップＳ７の処理が繰り返されることにより、複数の暗号化されたコンテンツデータがハードディスクドライブ１８に記録されるとともに、記録されたコンテンツデータに対応するメモリチップの情報がメモリチップリストに記録される。
【００５２】
複数のコンテンツデータに対応するメモリチップの情報が記録されたメモリチップリストの一例を、図３に示す。
【００５３】
本実施形態におけるコンテンツ記録再生装置１０にはスロット番号１〜５の５つのメモリチップスロット１２が内蔵されており、図３では、スロット番号「１」のメモリチップスロット１２にコンテンツファイル名「Movie-060401204033.movie」の復号キーを格納したメモリチップが挿入されており、スロット番号「２」のメモリチップスロット１２にコンテンツファイル名「Movie-060101101125.movie」の復号キーを格納したメモリチップが挿入されており、スロット番号「４」のメモリチップスロット１２にコンテンツファイル名「Movie-090801111955.movie」の復号キーを格納したメモリチップが挿入されていることを示している。
【００５４】
以上で、複数のコンテンツデータをハードディスクドライブ１８に複写する処理を終了する。
【００５５】
また、ステップＳ２において、コンテンツデータがハードディスクドライブ１８に複写可能ではないと判断されたときは（Ｓ２の「NO」）、処理を終了する。
【００５６】
次に、ハードディスクドライブ１８に複写された複数のコンテンツデータが連続して再生されるときの処理について図４のフローチャートを参照して説明する。
【００５７】
ハードディスクドライブ１８に複写された複数のコンテンツデータを連続して再生させるには、この複数のコンテンツデータに対応するメモリチップをメモリチップスロット１２にすべて挿入しておくことが必要である。
【００５８】
まず、ユーザの操作により、ハードディスクドライブ１８に複写された複数のコンテンツデータを再生する再生指示がユーザ入力部１６から入力されると、複写コンテンツデータ再生指示取得部１３５によりこの再生指示が取得される（Ｓ１１）。
【００５９】
複写コンテンツデータ再生指示取得部１３５で取得された再生指示は、復号キー取得部１３６および複写コンテンツデータ取得部１３７に送出される。
【００６０】
復号キー取得部１３６で再生指示が取得されると、再生が指示された複数のコンテンツデータのうち最初に再生するコンテンツデータに対応するコンテンツ識別情報がメモリチップリスト記録部１７２内から選択される（Ｓ１２）。
【００６１】
次に、復号キー取得部１３６で、選択されたコンテンツ識別情報に対応するメモリチップが複数のメモリチップスロット１２の中の１つに挿入されているかが確認され、挿入されていれば（Ｓ１３の「YES」）復号キーが取得される（Ｓ１４）。
【００６２】
複合キー取得部で取得された復号キーは、復号キー記録部１７３に一時的に記録される（Ｓ１５）。
【００６３】
一方、復号コンテンツデータ取得部で再生指示が取得されると、再生が指示された複数のコンテンツデータのうち最初に再生するコンテンツの暗号化されたコンテンツデータがハードディスクドライブ１８から取得される（Ｓ１６）。
【００６４】
復号コンテンツデータ取得部で取得された暗号化されたコンテンツデータは、ハードディスクコンテンツデータ記録部１７４に一時的に記録される（Ｓ１７）。
【００６５】
次に、コンテンツデータ復号部１３８で、復号キー記録部１７３から復号キーが取得され、ハードディスクコンテンツデータ記録部１７４に記録された暗号化されたコンテンツデータが復号される（Ｓ１８）。
【００６６】
復号されたコンテンツデータは、コンテンツデータ送出部１３９からＭＰＥＧ２デコーダ１９に送出されデコードされた後、必要に応じてスーパーインポーズ用バッファ１４から情報がインポーズされ表示装置２０に表示され再生される（Ｓ１９）。
【００６７】
再生されたコンテンツデータが終了すると、次に再生するコンテンツデータがあれば（Ｓ２０の「YES」）ステップＳ１２に戻り、続けて再生が行われる。
【００６８】
すべてのコンテンツデータの再生が終了すると（Ｓ２０の「NO」）、処理は終了する。
【００６９】
上記の処理で、ステップＳ１４において再生するコンテンツデータを復号するための復号キーを格納したメモリチップが挿入されていなければ、処理を終了する（Ｓ１３の「NO」）。
【００７０】
以上の本実施形態によれば、光ディスクドライブ１１を１台しか内蔵していなくても、光ディスクを入れ替えることなく複数の光ディスクに格納されたコンテンツデータを続けて再生することができる。
【００７１】
また、上記の実施形態のコンテンツ記録再生装置の機能構成をプログラム化してコンピュータに組み込むことにより、当該コンピュータをコンテンツ記録再生装置として機能させるコンテンツ記録再生プログラムを構築することも可能である。
【００７２】
なお、上記説明ではメモリチップリストを生成し、このメモリチップリストのコンテンツ識別情報を用いてコンテンツデータを再生する際の復号キーを取得する例を示したが、メモリチップリストを使用せず、直接メモリスロットに挿入されているメモリチップからコンテンツ識別情報を読み出し、この読み出したコンテンツ識別情報を用いてコンテンツデータを再生する際の復号キーを取得しても良い。
【００７３】
また、上記説明ではコンテンツデータの複写先の記録媒体としてハードディスクを用いる例を示したが、複数のコンテンツデータを記録できる程度の容量を有する大容量記録媒体であればハードディスクに限らずどのようなものでも良い。
【図面の簡単な説明】
【００７４】
【図１】本発明の一実施形態によるコンテンツ記録再生装置の構成を示すブロック図である。
【図２】本発明の一実施形態によるコンテンツ記録再生装置にコンテンツデータを複写する処理の動作を示すフローチャートである。
【図３】本発明の一実施形態によるコンテンツ記録再生装置のメモリに記録されるメモリチップリストを示す表である。
【図４】本発明の一実施形態によるコンテンツ記録再生装置に複写されたコンテンツデータを再生する処理の動作を示すフローチャートである。
【符号の説明】
【００７５】
１０…コンテンツ記録再生装置
１１…光ディスクドライブ
１２…メモリチップスロット
１３…ＣＰＵ
１４…スーパーインポーズ用バッファ
１５…Ｄ/Ａコンバータ
１６…ユーザ入力部
１７…メインメモリ
１８…ハードディスクドライブ
１９…ＭＰＥＧ２デコーダ
２０…表示装置
１３１…複写可否判断部
１３２…複写指示取得部
１３３…コンテンツデータ複写部
１３４…コンテンツ識別情報取得部
１３５…複写コンテンツデータ再生指示取得部
１３６…復号キー取得部
１３７…複写コンテンツデータ取得部
１３８…コンテンツデータ復号部
１３９…コンテンツデータ送出部
１７１…光ディスクコンテンツデータ記録部
１７２…メモリチップリスト記録部
１７３…復号キー記録部
１７４…ハードディスクコンテンツデータ記録部
【図１】
2008077791.tif 000003
【図２】
2008077791.tif 000004
【図３】
2008077791.tif 000005
【図４】
2008077791.tif 000006